(57)【特許請求の範囲】
【請求項１】
線形変調に起因する電力測定値のデータ依存性を補償する方法であって、
送信出力電力（Ｐfwd）の測定である第１の測定を行うステップと、
反射電力（Ｐrefl）の測定である第２の測定を、前記第１の測定と時分割多重して行うステップと、
前記第１の測定期間中に伝送されたデータ（Ｉ，Ｑ）に基づいて、第１平均電力（Ｐout,calc1）を算出するステップと、
前記第２の測定期間中に伝送されたデータ（Ｉ，Ｑ）に基づいて、第２平均電力（Ｐout,calc2）を算出するステップと、
前記第１平均電力（Ｐout,calc1）及び前記第２平均電力（Ｐout,calc2）の差（ΔＰout,calc）に基づいて、前記第１及び第２の測定の少なくとも１つを補償するステップとを有することを特徴とする方法。
【請求項２】
前記第１及び第２の測定が互いに異なるバースト（２００）において行われることを特徴とする請求項１記載の方法。
【請求項３】
更に前記異なるバースト（２００）間の設定電力レベルの差異に基づいて、前記第１及び第２の測定の少なくとも１つを補償するステップを更に有することを特徴とする請求項２記載の方法。
【請求項４】
前記第１及び第２の測定が同一のバースト（２００）において行われることを特徴とする請求項１記載の方法。
【請求項５】
前記第１及び第２の測定が同一のユーザデータシーケンス（２４０、２５０）内又は異なるユーザデータシーケンス（２４０、２５０）内で行われることを特徴とする請求項１乃至請求項４のいずれか１項に記載の方法。
【請求項６】
前記第１平均電力（Ｐout,calc1）及び前記第２平均電力（Ｐout,calc2）が前記同一のユーザデータシーケンス（２４０、２５０）内又は前記異なるユーザデータシーケンス（２４０、２５０）内に含まれるユーザデータに基づいて算出されることを特徴とする請求項５記載の方法。
【請求項７】
前記第１及び第２の測定が同一のトレーニングシーケンス（２３０）内又は異なるトレーニングシーケンス（２３０）内で行われることを特徴とする請求項１乃至請求項４のいずれか１項に記載の方法。
【請求項８】
前記第１平均電力（Ｐout,calc1）及び前記第２平均電力（Ｐout,calc2）が前記同一のトレーニングシーケンス（２３０）内又は前記異なるトレーニングシーケンス（２３０）内に含まれるデータに基づいて算出されることを特徴とする請求項７記載の方法。
【請求項９】
前記第１平均電力（Ｐout,calc1）及び前記第２平均電力（Ｐout,calc2）の差（ΔＰout,calc）が前記第１及び第２の測定より前に算出され、データベース（１６２）に格納されることを特徴とする請求項８記載の方法。
【請求項１０】
前記第１及び第２の測定が同一のテールビットシーケンス（２１０、２２０）内又は異なるテールビットシーケンス（２１０、２２０）内で行われることを特徴とする請求項１乃至請求項４のいずれか１項に記載の方法。
【請求項１１】
前記第１平均電力（Ｐout,calc1）及び前記第２平均電力（Ｐout,calc2）が前記同一のテールビットシーケンス（２１０、２２０）内又は前記異なるトレーニングシーケンス（２１０、２２０）内に含まれるデータに基づいて算出されることを特徴とする請求項１０記載の方法。
【請求項１２】
前記第１及び第２の測定が異なる形式のデータシーケンス（２１０、２２０、２３０、２４０、２５０）内で行われることを特徴とする請求項１乃至請求項４のいずれか１項に記載の方法。
【請求項１３】
前記第１及び第２の測定が出力ポート（１５３）の手前で行われることを特徴とする請求項１乃至請求項１２のいずれか１項に記載の方法。
【請求項１４】
前記出力ポート（１５３）が結合分配手段（１１０）又は送受信手段（１２０）の出力ポートであることを特徴とする請求項１３記載の方法。
【請求項１５】
前記補償された第１及び第２の測定の少なくとも１つに基づき、前記出力ポート（１５３）で整合（ＶＳＷＲ）を算出するステップを更に有することを特徴とする請求項１３又は請求項１４記載の方法。
【請求項１６】
前記第１及び第２の測定が送受信手段（１２０）内で行われることを特徴とする請求項１乃至請求項１２のいずれか１項に記載の方法。
【請求項１７】
前記第１及び第２の測定が前記送受信手段（１２０）のミクサ（１８１）と増幅器（１８２）の間で行われることを特徴とする請求項１６記載の方法。
【請求項１８】
線形変調に起因する電力測定値のデータ依存性を補償する装置であって、
データ信号を線形変調する変調器（１８０）と、
送信出力電力（Ｐfwd）の測定である第１の測定及び反射電力（Ｐrefl）の測定である第２の測定を、時分割多重して行う測定手段（１６０、４００）と、
前記第１の測定期間中に伝送されたデータ（Ｉ，Ｑ）に基づいて第１平均電力（Ｐout,calc1）を算出するとともに、前記第２の測定期間中に伝送されたデータ（Ｉ，Ｑ）に基づいて第２平均電力（Ｐout,calc2）を算出する、第１の算出手段（１７１）と、
前記第１平均電力（Ｐout,calc1）及び前記第２平均電力（Ｐout,calc2）の差（ΔＰout,calc）に基づいて、前記第１及び第２の測定の少なくとも１つを補償する補償手段（１７１）とを有することを特徴とする装置。
【請求項１９】
線形変調に起因する電力測定値のデータ依存性を補償する装置であって、
データ信号を線形変調する変調器（１８０）と、
送信出力電力（Ｐfwd）の測定である第１の測定及び反射電力（Ｐrefl）の測定である第２の測定を、時分割多重して行う測定手段（１６０、４００）と、
前記第１の測定期間中に伝送されたデータ（Ｉ，Ｑ）に基づいて算出された第１平均電力（Ｐout,calc1）と、前記第２の測定期間中に伝送されたデータ（Ｉ，Ｑ）に基づいて算出された第２平均電力（Ｐout,calc2）の差（ΔＰout,calc）を格納する第１のデータベース（１６２）と、
前記第１平均電力（Ｐout,calc1）及び前記第２平均電力（Ｐout,calc2）に基づいて、前記第１及び第２の測定の少なくとも１つを補償する補償手段（１７１）とを有することを特徴とする装置。
【請求項２０】
前記第１及び第２の測定に関わるタイミングイベントを格納する第２のデータベース（１６２）を更に有することを特徴とする請求項１８又は請求項１９記載の装置。
【請求項２１】
電圧定在波比を算出する第２の算出手段を更に有することを特徴とする請求項１８乃至請求項２０のいずれか１項に記載の装置。
【請求項２２】
請求項１８乃至請求項２１のいずれか１項に記載の装置を有する、無線通信システム用基地送受信局（１００）。
【発明の詳細な説明】
【０００１】
【発明が属する技術分野】
本発明は線形に変調された無線周波数信号の電力測定に関し、特に線形変調に起因する電力測定のデータ依存性を補償するための方法及び装置に関する。
【０００２】
【従来の技術】
高品質の伝送を保証し、過度に大きな電力レベルに起因する出力段での損傷を防止するため、移動電話システムや衛星システムのような無線システムの状態は電力測定によって常時監視する必要がある。
【０００３】
ＧＳＭ(Grobal System for Mobile Communications)基地送受信局における現在の送受信器部内部では、出力ポートを介して伝送される出力電力（Ｐfwd）の測定及び、出力ポートで反射される電力（Ｐrefl）の測定がなされている。Ｐfwdは例えば伝送されるＧＭＳＫ(Gaussian Minim Shift Keying)バーストの有意な部分の初めに、またＰreflは例えばバーストの有意な部分の終わりにそれぞれ測定される。従って、電力測定は時間多重されて実行される。
【０００４】
Ｐfwd及びＰreflの測定値に基づき、例えば電圧定在波比（ＶＳＷＲ）を算出することによって、基地送受信局の状態を評価することが可能である。ＷＯ９４／２４５７６号には、無線システムのアンテナ伝送状態をＶＳＷＲに基づいて監視する方法が記載されている。ＶＳＷＲは伝送路及びその負荷との間のインピーダンス不整合の大きさである。その比が大きくなるほど不整合は大きい。換言すれば、ＶＳＷＲが増加するに従って伝送品質は低下する。
【０００５】
ＧＭＳＫ変調は非線形変調であり、バーストにおける有意区間の無線周波数信号エンベロープの変動は非常に小さい。電力Ｐfwd、Ｐreflはデータに依存せず、従ってバースト期間中の任意のタイミングで測定することが可能である。測定結果は整合ＶＳＷＲの算出に直接使用することができる。
【０００６】
線形変調は伝送されるデータシーケンスに依存して出力電力に大きな変動が生じる。図５に示すように、ダイナミックパワーレンジはバーストの有意な部分に渡って１９ｄＢにまで広がっている。線形変調の出力電力にはデータ依存性があるためバーストの有意区間におけるＰfwd及びＰreflの測定は信頼できる結果を得ることができない。信号バーストの前半及び後半における、線形変調に起因した平均出力電力の最大変動は、全シンボルが測定され、平均出力電力の算出に用いられるとすると２ｄＢに到達しうる。もっと少ないシンボルが測定される場合には、平均出力電力の最大変動はより大きくなると思われる。
【０００７】
このようなデータに依存する同一バースト中の出力電力変動は時間多重された測定に基づいて無線システムの状態を評価する際に重大な問題を引き起こしうる。出力電力のデータ依存性によって、例えば、もし真のＶＳＷＲと計算されたＶＳＷＲとが２ｄＢ又はそれより大きく異なる場合、そのシステムは例えばアンテナ給電線が外れているものと結論付け、誤ってアラームを送信するかもしれない。出力電力のデータ依存性による電力測定値の不正確さは、ＶＳＷＲ計算結果の誤解を呼びかねない。測定値Ｐfwdは過度に高い出力電力レベルによる損傷を防止するための出力電力の正しい監視には非常に重要なパラメータであるため、測定値Ｐfwdの誤解はより大きな問題を起こしうる。
【０００８】
従って、線形変調に対する時間多重されたＰfwd及びＰrefl測定のデータ依存性を補償するための方法及び装置が望まれている。
【０００９】
【課題を解決する手段】
本発明はこの要望を以下の方法を提供することによって満足させる。すなわち、線形変調に起因する電力測定のデータ依存性を補償する方法であって、送信された出力電力の測定を行う第１測定ステップと、反射された電力の測定を行う第２測定ステップと、第１測定ステップ中に送信されたデータに基づいて第１の平均電力を求めるステップと、第２測定ステップ中に送信されたデータに基づいて第２の平均電力を求めるステップと、第１平均電力と第２平均電力の差に基づいて少なくとも第１測定値及び第２の測定値の少なくとも１つを補償するステップとを有し、第２測定ステップが第１測定ステップと時間多重されて実施されることを特徴とする。
【００１０】
線形変調に起因する電力測定のデータ依存性を補償する、本発明による装置は、データ信号を線形変調する変調器と、送信された出力電力の測定を行う第１測定と、反射された電力の測定を行う第２測定とを実施する測定部と、第１平均電力と第２平均電力の差に基づいて少なくとも第１測定値及び第２の測定値の少なくとも１つを補償する補償部とを有し、第２測定が第１測定と時間多重されて実施されることを特徴とする。
【００１１】
装置はさらに、第１測定期間中に伝送されたデータに基づいて第１平均電力を求めるとともに、第２測定期間中に伝送されたデータに基づいて第２平均電力を求める、少なくとも１つの演算部と、第１平均電力と第２平均電力との差異を格納するデータベースを有することを特徴とする。
【００１２】
本発明は電力測定を任意の時間窓の中で、かつ特定のバースト構成とは独立して行うことを可能にする。第１及び第２の測定は、その測定の前に予め送信されるデータが分かっているか否かによって、第１及び第２の出力電力の算出前、算出と同時、あるいは算出後に行うことができる。第１及び第２の測定は積分測定(integrating measurement)又は複数の測定値を平均することによって行うことが好ましい。
【００１３】
本発明によれば、第１及び第２の測定は時間多重される。すなわち、異なる時間窓の中で実施される。第１及び第２の測定が時間多重されて実行されるため、ハードウェアコストが削減される。なぜなら、両方の測定が好ましくは例えば１つの測定ＡＳＩＣによってなされるからである。従って本発明はこれまで非線形的に変調された信号に対して用いられていた従来の電力測定方法及び装置を、８相ＰＳＫ(8-PSK)信号のような線形変調方法に対して適合させることを可能にする。
【００１４】
ＧＳＭにおいて、バースト、すなわち伝送の特定量(transmission quantum)は複数のデータシーケンスから構成される。複数のデータシーケンスは第１のテールビットシーケンス第１のユーザデータシーケンス、トレーニングシーケンス、第２のユーザデータシーケンス及び第２のテールビットシーケンスを有する。第１及び第２の測定はバースト中のユーザデータシーケンス、トレーニングシーケンス又はテールビットシーケンスにおいて実施することができる。さらに、第１及び第２の測定は単独のバーストにおいても複数の異なるバーストにおいても実施可能である。
【００１５】
第１及び第２の測定が異なるバーストで実施される場合、異なるバーストに設定された電力レベルの差に基づいて少なくとも１つの測定が補償されることが好ましい。これは出力電力があるバーストから別のバーストに移行する際に信号のエンベロープがデータ依存性だけでなく、設定された電力レベルにも起因して変動するであろうことを考慮したものである。例えば、伝送状態があるバーストから別のバーストに移行する際に向上したとすると、システムは自動的に最大出力電力レベルを削減することができる。
【００１６】
第１及び第２の測定をユーザデータシーケンス、トレーニングシーケンス又はテールビットシーケンスにおいて実施可能である旨述べた。本発明の第１の実施形態によれば、第１及び第２の測定は異なる形式のデータシーケンスにおいて実施される。従って、第１の測定は例えばユーザデータシーケンスにおいて実施可能であり、第２の測定はテールビットシーケンスにおいて実施可能である。他の組み合わせも同様に可能である。
【００１７】
本発明の第２の実施形態によれば、第１及び第２の測定は同一形式のデータシーケンスにおいて実施される。従って、第１及び第２の測定の両方が例えば同一もしくは異なるユーザデータシーケンスにおいて実施可能であり、第１及び第２の平均電力はその１つ又は複数のユーザデータシーケンスに含まれるユーザデータに基づいて算出される。しかし、第１及び第２の測定はまた、その両方が同一のトレーニングシーケンス又は、もし２つのバーストにおける設定電力レベルが分かっている場合には異なるトレーニングシーケンスにおいても実施可能である。そして、第１及び第２平均電力はトレーニングシーケンスデータに基づいて算出可能である。トレーニングシーケンスは標準化されたデータから構成され、その内容は測定前に分かっているため、第１及び第２平均電力の差は測定前に算出可能であり、データベースに格納可能である。さらに、第１及び第２の測定はいずれも同一又は異なるテールビットシーケンスにおいても実施可能である。これらの測定が異なるテールビットシーケンスにおいて実施される場合、その異なるテールビットシーケンスは同一のバースト又は異なるバーストの一部であって良い。そして、第１及び第２平均電力はトレールビットデータに基づいて算出することが可能である。
【００１８】
第１及び第２の測定のいずれも、例えば送受信部又は結合分配部の出力ポートより手前で実施することが好ましい。それぞれの出力ポートには追加部品を接続しても良い。これは補償された測定値に基づく追加部品のマッチングを判定することを可能にする。マッチングを判定するため、ＶＳＷＲを算出することができる。従って、ＶＳＷＲを算出するための算出手段を設けることは好都合である。測定は特定のタイミングイベントに従って実施されるのが好ましい。そのため、タイミングイベントを格納するためのデータベースを設けることができる。
【００１９】
本発明によれば、電力測定のデータ依存性を補償する上述の方法をまた、送受信器内部の送信及び受信パスの状態監視にも用いることができる。従って、第１及び第２の測定の両方を送受信器内部で実施可能であり、送受信器の無線周波数ミクサ及び電力増幅器の間で実施されることが好ましい。そして受信機はルーティングされたデータを検出し、電力レベルの判定及びビットエラーレートの算出を行う。電力レベルは上述した方法に従って判定することが可能である。
【００２０】
本発明の他の見地及び利点は、以下の図面を参照し、以下の本発明の好適な実施形態の詳細な説明を読むことによって理解されるであろう。
【００２１】
【発明の実施の形態】
添付図面を参照して、本発明の好ましい実施形態を説明する。
図１に、基地送受信局１００内部において線形変調に起因する電力測定値のデータ依存性を補償する装置のいくつかの構成部品を示すブロック図を示す。基地送受信局１００はセルラ通信システムの一部であり、結合分配部１１０と通信する送受信部１２０及び結合分配部１１０と通信するアンテナ１０１とを有する。
【００２２】
結合分配部１１０は入力ポート１５２と、側波帯における放射を削減するための送信側バンドパスフィルタ(TX-bandpass filter)１５１と、方向性結合器１５０及び出力ポート１５３とを有する。送受信部１２０は単独の測定受信器１６０の形態を有する測定部と、無線コントローラ１７０と、アナログ／ディジタル変換器１６１と、１つ又は複数のデータベースを格納するＥＰＲＯＭチップ１６２と、直交変調器１８０と、無線周波数ミクサ１８１及び、電力増幅器１８２とを有する。測定受信機１６０は図１に図示されないただ１つの測定用ＡＳＩＣを有する。
【００２３】
送受信部１２０はケーブル１０４を介して結合分配部１１０にデータを出力する。しかし、図に記載しない他の実施形態によれば、結合分配部１１０はまた複数の送受信部１２０からの出力信号の結合にも用いることができる。
【００２４】
送信出力電力Ｐfwdの測定及び反射電力Ｐreflの独立した測定は結合分配部１１０の出力ポート１５３の手前で行われる。その代わりに、この測定をアンテナ１０１のコネクタ又は送受信部１２０の出力ポートで行っても良い。送信出力電力Ｐfwd及び反射電力Ｐreflは方向性結合器１５０によって取り出され、結合分配部１１０からケーブル１０２、１０３を介して送受信部１２０の測定受信器１６０へ送信される。
【００２５】
測定受信器１６０はまた結合分配部１１０内部に位置していてもよく、その場合送信出力電力Ｐfwd及び反射電力Ｐreflは送受信器１２０へディジタルバスを介して送信される。測定受信機１６０が結合分配部１１０内部に位置する場合、ディジタルバスはまた結合分配部１１０で算出されたＶＳＷＲを送受信部１２０へ転送するのにも利用することができる。
【００２６】
測定受信機１６０は送信出力電力Ｐfwd及び反射電力Ｐreflを検出する。Ｐfwd及びＰreflは現在のバーストにおける設定電力レベルを用い、１つのバーストの別個の部分又は、異なるバーストで測定可能である。測定された電力レベルＰfwd,meas及びＰrefl,measはＡ／Ｄ変換器１６１でディジタル信号に変換され、無線コントローラ１７０内の無線コントロールファームウェア１７１へ送られる。
【００２７】
以下に説明するように、無線コントロールファームウェア１７１は第１測定中に送信されたデータに基づく第１平均電力及び第２測定中に送信されたデータに基づく第２平均電力を算出する算出部及び、事前に算出された第１及び第２平均電力に基づいてＶＳＷＲを算出する算出部の両方として機能することが可能である。さらに、無線コントロールファームウェア１７１は算出された第１及び第２平均電力の差異に基づいて第１及び第２測定の少なくとも一方を補償する補償部としても用いることができる。
【００２８】
無線コントロールファームウェア１７１はベースバンドフィルタリングされた同相（Ｉik）及び直交（Ｑik）データビット、測定された電力レベルＰfwd,meas及びＰrefl,meas、及び、ＥＰＲＯＭ１６２に格納されたデータベースからのタイミングイベントから入力データを受信し、以下に詳細を説明するＶＳＷＲを算出することができる。ベースバンドフィルタリングされた同相（Ｉik）及び直交（Ｑik）データビットは対応する「ハードビット」Ｉ’及びＱ’を、バースト整形部１３０でバースト整形し、無線コントローラ１７０内部に設けられた２つの並行内挿器１４０において内挿することによって得られる。ＥＰＲＯＭ１６２のデータベースに格納されたタイミングイベントは、無線コントロールファームウェア１７１に送信出力電力Ｐfwd及び反射電力Ｐreflの測定のための正確なタイミング点を与える。
【００２９】
以下、基地送受信局１００内部の線形変調に起因する電力測定のデータ依存性を補償するための本発明による方法をさらに詳細に説明する。例として、基地送受信局の状態をＶＳＷＲによって監視する場合を説明する。
【００３０】
図２及び図３はＧＳＭにおける１つのバースト２００内部でＰfwd及びＰreflを測定するための、本発明による２つの典型的な実施形態を示す。ＧＳＭにおいて、バーストは電力が急上昇した後と電力が急降下する前の２つのテールビットシーケンス２１０、２２０と、２つのテールビットシーケンス２１０、２２０の間に配置されたトレーニングシーケンス２３０及び、２つのユーザデータシーケンス２４０、２５０を有する。第１のユーザデータシーケンス２４０は第１のテールビットシーケンス２１０とトレーニングシーケンス２３０の間に配置され、第２のユーザデータシーケンス２５０はトレーニングシーケンス２３０と第２のテールビットシーケンス２２０の間に配置される。
【００３１】
図２に示す測定に従って、Ｐfwd及びＰreflは異なるユーザシーケンス２４０、２５０内で時分割多重されて測定される。Ｐfwdは第１のユーザデータシーケンス２４０内部の第１の時間窓の間に測定され、Ｐreflは第２のユーザデータシーケンス２５０内部の第２の時間窓の間に測定される。
【００３２】
代わりに、図３に示すように、Ｐfwd及びＰreflをトレーニングシーケンス２３０内部の別個の時間窓の間に測定しても良い。バースト２００において、ユーザデータシーケンス２４０、２５０が１９ｄＢの電力変動を有するのに対し、トレーニングシーケンス２３０は一般に４．５ｄＢという比較的小さな電力変動であるため、測定受信機１６０のダイナミックレンジに対する要求が幾分緩やかであるという利点がある。
【００３３】
図２及び図３に示す実施形態において、Ｐfwdの測定はＰreflの測定よりも前に行われるが、もちろん、Ｐfwdの測定をＰreflの測定後に行っても良い。
【００３４】
Ｐfwd及びＰreflのデータ依存性を補償するため、Ｐfwd及びＰreflの現在値測定に加え、Ｐfwd及びＰreflのそれぞれの測定時間窓期間における平均電力を求める必要がある。一般に、測定時間窓は平均時間窓と同一である必要はない。
【００３５】
平均電力はＩ及びＱデータ信号に基づいて算出可能である。好ましくは、ベースバンドデータフィルタリングされた後のＩ及びＱデータ信号を用いる。電力の算術平均は異なる平均アルゴリズムによって算出してもよい。利用可能な平均アルゴリズムの１つは
【００３６】
【数１】
0004066311.tif 000002
【００３７】
である。ここで、Ｌは測定されるデータシーケンスの長さ、すなわちシンボル数である。Ｎはベースバンドデータフィルタリングされた後のＩ及びＱデータサンプル総数、calciはＰfwd及びＰreflの異なる測定期間に対する平均電力を示す。従って、Ｐout,calc1はＰfwdの測定値の平均電力に対応し、Ｐout,calc2はＰreflの測定値の平均電力に対応する。
【００３８】
そして、平均電力Ｐout,calc1から、平均電力Ｐout,calc2を差し引くことによって両測定期間の平均電力の差ΔＰout,calcが求められる。図４に差ΔＰout,calcの説明を示す。
【００３９】
Ｐout,calc1及びＰout,calc2はＰfwd及びＰreflの測定前、測定と同時又は測定後に算出可能である。Ｐout,calc1及びＰout,calc2がＰfwd及びＰreflの測定と同時又は測定後に算出される場合、Ｉ及びＱデータビットは無線コントローラ１７０から出力された状態のままオンラインで無線コントロールファームウェア１７１に受信され、無線コントロールファームウェア１７１はＰout,calc1、Ｐout,calc2及びΔＰout,calcをオンラインで算出する。このオンライン算出は図３に示した測定だけでなく、図２に示した測定にも実施可能である。オンライン算出を行う場合には、図１に示したＥＰＲＯＭ１６２を省くことが可能である。
【００４０】
図３に示した測定は、Ｐout,calc1、Ｐout,calc2及びΔＰout,calcの算出をＰfwd及びＰreflの測定前に行うことを可能にする。これは、トレーニングシーケンスのビットパターン、つまりトレーニングシーケンスのＩ及びＱデータが規格化されており、送受信部１２０の生産前に分かっているという事実によるものである。標準的なＧＳＭ０５．０２においては、例えば８相ＰＳＫで変調される通常バースト用として８つの異なるトレーニングシーケンスビットパターンが規定されている。従って、送受信部１２０の生産時にこれらのビットパターンについての差ΔＰout,calcを算出し、ＥＰＲＯＭ１６２内の別のデータベースに格納することが可能である。ΔＰout,calcとともに、無線コントロールファームウェア１７１用の対応するタイミングイベントをＥＰＲＯＭ１６２のデータベースに格納することができる。タイミングイベントによって、ΔＰout,calcの格納された値が計算された時間窓期間に正確にＰfwd及びＰreflが測定されることが保証される。
【００４１】
Ｐfwd及びＰreflの測定後、かつΔＰout,calcの算出後、ＶＳＷＲの算出に用いられる電力レベルを以下のように求めることができる。
Ｐfwd＝Ｐfwd,meas
Ｐrefl＝Ｐrefl,meas＋ΔＰout,calc
【００４２】
これらの式と図４とを参照して、Ｐout,calc1及びＰout,calc2のレベルはΔＰout,calcだけ差があることが理解できる。Ｐfwd及びＰreflが異なるバーストにおいて測定された場合、上のＰreflの式は２つのバースト間の設定電力レベルの差を考慮した付加項によって補正されねばならない。
【００４３】
Ｐrefl,measがＴ３とＴ４の間で測定された場合、その測定値はＴ１とＴ２の間での測定値と比較してΔＰout,calcだけ小さい。その結果、図４に示した典型的な実施形態において、Ｐrefl,measには算出された差であるΔＰout,calcが加算される。
【００４４】
実際には、算出された電力レベルは結合分配部１１０の出力ポート１５３で測定される電力レベルと同一ではなく、算出された電力は増幅係数ａによって歪められる。そのため、Ｐfwd及びＰreflについての上式は以下のように修正されねばならない。
Ｐfwd＝Ｐfwd,meas＋10*log10(a)
Ｐrefl＝Ｐrefl,meas＋10*log10(a)＋ΔＰout,calc
【００４５】
そして、反射係数ｒの自乗が以下のように求められる。
｜ｒ｜2＝Ｐrefl／Ｐfwd
また、無線コントローラ１７０で算出されるＶＳＷＲは以下の通り求められる。
ＶＳＷＲ＝（１＋｜ｒ｜）／（１−｜ｒ｜）
【００４６】
既に指摘したように、ＶＳＷＲは伝送路とその負荷とのインピーダンス不整合の測定である。この測定は結合分配部１１０の出力ポート１５３の前、アンテナコネクタそれ自体、もしくは送受信部１２０の出力ポートのいずれかにおいて行うことが可能である。ＶＳＷＲが高ければ不整合も大きい。換言すると、電圧定在波比が増加し、所定の値を超えると、例えば基地送受信局１００のアンテナ１０１が切断されていると言った警告信号の発生を引き起こす。
【００４７】
図６は、線形変調システムにおいて本発明によるＶＳＷＲ算出を行うための測定受信器４００の別の実施形態を示す。図１に示した測定受信機１６０とは異なり、２重測定受信器４００はその内部に２つの測定用ＡＳＩＣ４１０、４２０を有する。１つのＡＳＩＣ４１０はＰfwdの測定を、もう一方のＡＳＩＣ４２０は時分割多重されたＰreflの測定を行う。２重測定受信器４００にはＰfwd及びＰrefl信号をダウンコンバートするための２つのシンセサイザ信号４３０、４４０を出力する１つの信号スプリッタが設けられねばならない。
【００４８】
上述の実施形態においては、Ｐfwd及びＰreflがユーザデータシーケンス又はトレーニングシーケンスのいずれかで測定された。しかしながら、テールビットシーケンスの信号エンベロープのデータ依存性は小さいけれども、Ｐfwd及びＰreflをテールビットシーケンスで測定してもよい。
【図面の簡単な説明】
【図１】本発明の実施形態に係る、線形変調に起因する電力測定値のデータ依存性を補償する装置の構成例を示すブロック図である。
【図２】ＧＳＭバーストの第１グラフを示す図である。
【図３】ＧＳＭバーストの第２グラフを示す図である。
【図４】電力レベル差のグラフを示す図である。
【図５】線形変調バーストのグラフを示す。
【図６】２重測定受信機を示すブロック図である。
【図１】
0004066311.tif 000003
【図２】
0004066311.tif 000004
【図３】
0004066311.tif 000005
【図４】
0004066311.tif 000006
【図５】
0004066311.tif 000007
【図６】
0004066311.tif 000008